(57)【要約】  ハウジングと、ハウジングに接続された複数の電気接点とを含む電気コネクタ。接点のそれぞれは、その間で接合電気コネクタのオス接点を受容するように構成された対向するカンチレバー接触アームを含む。接点のそれぞれは、ハウジングの接点受容領域において接点を位置付ける際に支援する保持機能と、第１の表面取り付け半田テールとを有する。
2018503963.tif 000002
【特許請求の範囲】
【請求項１】
電気コネクタであって、
ハウジングと、
前記ハウジングに接続された複数の電気接点と、を備え、ここにおいて、前記電気接点のそれぞれは、その間で接合電気コネクタのオス接点を受容するように構成された少なくとも１つのカンチレバー接触アームと、前記ハウジングの接点受容領域において前記電気接点を位置付ける際に支援する保持機能と、第１の表面取り付け半田テールとを備える、
電気コネクタ。
【請求項２】
前記少なくとも１つのカンチレバー接触アームと保持機能と第１の半田テールは、前記電気接点の本体から同じ方向で伸長している、請求項１に記載の電気コネクタ。
【請求項３】
前記保持機能は、前記電気接点の前記本体から伸長する一般的なカンチレバー形状を有する、請求項２に記載の電気コネクタ。
【請求項４】
前記電気接点は、前記保持機能と、前記電気接点の本体の反対端とに接続されたブリッジ部分をさらに備える、請求項１乃至３のいずれか一項に記載の電気コネクタ。
【請求項５】
前記保持機能は、前記電気接点の最も広い部分であり、前記少なくとも１つのカンチレバー接触アームに最も近い前記電気接点の反対側面を通り越して伸長している、請求項１乃至４のいずれか一項に記載の電気コネクタ。
【請求項６】
前記保持機能は、平たく、曲げられない、請求項１乃至５のいずれか一項に記載の電気コネクタ。
【請求項７】
前記保持機能は、前記少なくとも１つのカンチレバー接触アームよりも広い、請求項１乃至６のいずれか一項に記載の電気コネクタ。
【請求項８】
前記保持機能は、前記少なくとも１つのカンチレバー接触アームに対して実質的に直角に向けられた、請求項１乃至７のいずれか一項に記載の電気コネクタ。
【請求項９】
第２の半田テールをさらに備え、ここにおいて、前記第１の半田テールは、第１の位置で前記電気接点の本体に伸長し、ここにおいて、前記第２の半田テールは、第２の位置で前記電気接点から伸長している、請求項１乃至８のいずれか一項に記載の電気コネクタ。
【請求項１０】
前記第２の半田テールは、前記本体に伸長している、請求項９に記載の電気コネクタ。
【請求項１１】
前記第２の半田テールは、前記少なくとも１つのカンチレバー接触アームに伸長している、請求項９に記載の電気コネクタ。
【請求項１２】
前記第２の半田テールは、前記保持機能に伸長している、請求項９に記載の電気コネクタ。
【請求項１３】
前記本体のうちの１つに伸長する第３の半田テールと、前記少なくとも１つのカンチレバー接触アーム又は前記保持機能のうちの別のものをさらに備える、請求項９乃至１２のいずれか一項に記載の電気コネクタ。
【請求項１４】
前記保持機能は、実質的にダイヤモンド形状の外形を有する、請求項１乃至１３のいずれか一項に記載の電気コネクタ。
【請求項１５】
前記保持機能は、実質的に砂時計形状の外形を有する、請求項１乃至１３のいずれか一項に記載の電気コネクタ。
【請求項１６】
前記保持機能は、前記ハウジングを、前記ハウジング中で前記電気接点を保持するように携わる反対側面を有し、ここにおいて、前記保持機能は、前記電気接点の最も広い部分である、請求項１乃至１５のいずれか一項に記載の電気コネクタ。
【請求項１７】
キャリーストリップに取り付けられた電気接点を形成するために、フラットメタル部材を打ち抜きすることと、ここにおいて、前記電気接点は、その間で接合電気コネクタのオス接点を受容するように構成された少なくとも１つのカンチレバー接触アームと、ハウジングの接点受容領域において前記電気接点を位置付けする際に支援する保持機能と、第１の表面取り付け半田テールとを形成するように打ち抜きされ、
ロール上に電気的に取り付けられた前記電気接点で、前記キャリーストリップを回転することと、
を備える方法。
【請求項１８】
前記打ち抜きは、前記電気接点の本体から同じ方向に伸長している、前記少なくとも１つのカンチレバー接触アームと、保持機能と、第１の半田テールをさらに備える、請求項１７に記載の方法。
【請求項１９】
前記打ち抜きは、前記電気接点の本体から伸長している概してカンチレバー形状を有する前記保持機能をさらに備える、請求項１７又は１８に記載の方法。
【請求項２０】
前記打ち抜きは、前記保持機能と、前記電気接点の本体の反対端とに接続されたブリッジ部分を形成することをさらに備える、請求項１７乃至１９のいずれか一項に記載の方法。
【請求項２１】
前記打ち抜きは、前記電気接点の最も広い部分である前記保持機能を形成することをさらに備え、ここにおいて、前記保持機能は、前記少なくとも１つのカンチレバー接触アームに最も近い前記電気接点の反対側面を通り越して伸長している、請求項１７乃至２０のいずれか一項に記載の方法。
【発明の詳細な説明】
【技術分野】
【０００１】
[0001]  例示的な、及び限定的でない実施形態は、一般的に電気接点に関連し、さらに特に、メス電気端子に関連する。
【背景技術】
【０００２】
[0002]  電気接点は、対向する接触アームを有し、接点受容領域においてハウジングに取り付けられることが知られる。
【発明の概要】
【０００３】
[0003]  以下の概要は、例示的なものに過ぎないように意図される。概要は、特許請求の範囲を限定するように意図されない。
【０００４】
[0004]  １つの態様にしたがうと、例示的な実施形態が電気コネクタにおいて提供され、電気コネクタは、ハウジングと、ハウジングに接続された複数の電気接点とを備え、ここにおいて、接点のそれぞれは、その間で接合電気コネクタのオス接点を受容するように構成された対向するカンチレバー接触アームと、ハウジングの接点受容領域において接点を位置付ける際に支援する保持機能と、第１の表面取り付け半田テールとを備える。
【０００５】
[0005]  別の態様にしたがうと、例示的な方法は、キャリーストリップに取り付けられた電気接点を形成するために、フラットメタル部材を打ち抜きすることと、ここにおいて、電気接点は、その間で接合電気コネクタのオス接点を受容するように構成された対向するカンチレバー接触アームと、ハウジングの接点受容領域において接点を位置付けする際に支援する保持機能と、第１の表面取り付け半田テールとを形成するように打ち抜きされ、ロール上に電気的に取り付けられた接点で、キャリーストリップを回転することと、を備える。
【０００６】
[0006]  前述の態様と他の特徴は、付随する図面に関連して、以下の記述において説明される。
【図面の簡単な説明】
【０００７】
【図１】[0007]  図１は、電気コネクタの例示的な実施形態の底面斜視図である。
【図２】[0008]  図２は、図１において示される実施形態の部分的な概略上面図である。
【図３】[0009]  図３は、切断部分での、図１、２において示される実施形態の側面図である。
【図４】[0010]  図４は、図１〜図３において示される電気接点のうちの１つの斜視図である。
【図５】[0011]  図５は、図４において示される電気接点を形成するのに使用されるブランクの平面図である。
【図６】[0012]  図６は、ブリッジング部分を示す、図５に類似した平面図である。
【図７】[0013]  図７は、半田テールのための可能性ある位置を示す、図６に類似した平面図である。
【図８】[0014]  図８は、ブリッジング部分なしでの電気接点を示す、及び、半田テールのための可能性ある位置を示す、図７に類似した平面図である。
【図９】[0015]  図９は、従来の電気接点の後方側面図を示す。
【図１０】[0016]  図１０は、保持機能の代替的な形状の、図９に類似した後方側面図を示す。
【図１１】[0017]  図１１は、図１０において示される電気接点を形成するのに使用されるフラットブランクの平面図であり、半田テール位置コンフィギュラビリティのために取り外し可能な半田テールを示す。
【図１２】[0018]  図１２は、図９において示される従来の接点の幅を示す。
【図１３】[0019]  図１３は、図１０において示される接点の幅を示す。
【図１４】[0020]  図１４は、図１０及び図１３において示される接点の断面図である。
【図１５】[0021]  図１５は、代替の形状を示す。
【図１６】[0021]  図１６は、代替の形状を示す。
【図１７】[0022]  図１７は、砂時計形状の輪郭を有する保持機能を示す。
【図１８Ａ】[0023]  図１８Ａは、ここで記述された特徴を有する電気接点のさまざまな代替設計形状を示す。
【図１８Ｂ】[0023]  図１８Ｂは、ここで記述された特徴を有する電気接点のさまざまな代替設計形状を示す。
【図１９Ａ】[0023]  図１９Ａは、ここで記述された特徴を有する電気接点のさまざまな代替設計形状を示す。
【図１９Ｂ】[0023]  図１９Ｂは、ここで記述された特徴を有する電気接点のさまざまな代替設計形状を示す。
【図２０Ａ】[0023]  図２０Ａは、ここで記述された特徴を有する電気接点のさまざまな代替設計形状を示す。
【図２０Ｂ】[0023]  図２０Ｂは、ここで記述された特徴を有する電気接点のさまざまな代替設計形状を示す。
【図２１Ａ】[0023]  図２１Ａは、ここで記述された特徴を有する電気接点のさまざまな代替設計形状を示す。
【図２１Ｂ】[0023]  図２１Ｂは、ここで記述された特徴を有する電気接点のさまざまな代替設計形状を示す。
【図２２Ａ】[0023]  図２２Ａは、ここで記述された特徴を有する電気接点のさまざまな代替設計形状を示す。
【図２２Ｂ】[0023]  図２２Ｂは、ここで記述された特徴を有する電気接点のさまざまな代替設計形状を示す。
【図２３Ａ】[0023]  図２３Ａは、ここで記述された特徴を有する電気接点のさまざまな代替設計形状を示す。
【図２３Ｂ】[0023]  図２３Ｂは、ここで記述された特徴を有する電気接点のさまざまな代替設計形状を示す。
【図２４Ａ】[0023]  図２４Ａは、ここで記述された特徴を有する電気接点のさまざまな代替設計形状を示す。
【図２４Ｂ】[0023]  図２４Ｂは、ここで記述された特徴を有する電気接点のさまざまな代替設計形状を示す。
【図２５Ａ】[0023]  図２５Ａは、ここで記述された特徴を有する電気接点のさまざまな代替設計形状を示す。
【図２５Ｂ】[0023]  図２５Ｂは、ここで記述された特徴を有する電気接点のさまざまな代替設計形状を示す。
【図２６Ａ】[0023]  図２６Ａは、ここで記述された特徴を有する電気接点のさまざまな代替設計形状を示す。
【図２６Ｂ】[0023]  図２６Ｂは、ここで記述された特徴を有する電気接点のさまざまな代替設計形状を示す。
【図２７Ａ】[0023]  図２７Ａは、ここで記述された特徴を有する電気接点のさまざまな代替設計形状を示す。
【図２７Ｂ】[0023]  図２７Ｂは、ここで記述された特徴を有する電気接点のさまざまな代替設計形状を示す。
【図２８Ａ】[0023]  図２８Ａは、ここで記述された特徴を有する電気接点のさまざまな代替設計形状を示す。
【図２８Ｂ】[0023]  図２８Ｂは、ここで記述された特徴を有する電気接点のさまざまな代替設計形状を示す。
【図２９Ａ】[0023]  図２９Ａは、ここで記述された特徴を有する電気接点のさまざまな代替設計形状を示す。
【図２９Ｂ】[0023]  図２９Ｂは、ここで記述された特徴を有する電気接点のさまざまな代替設計形状を示す。
【発明を実施するための形態】
【０００８】
[0024]  図１を参照すると、例示的な実施形態の特徴を組み込む電気コネクタ１０の底面斜視図が示される。特徴は、図面において示された例示的な実施形態を参照して記述されるが、実施形態の多くの代替形状において特徴が具現化され得ることが理解されるべきである。さらに、任意の適切なサイズ、形状、又は任意のタイプの、要素若しくは材料が使用され得る。
【０００９】
[0025]  コネクタ１０は、一般的に、ハウジング１２と、複数の電気接点、又は端子１４を備える。図２〜図３も参照すると、ハウジング１２は、成形されたプラスチック又はポリマー材料から構成されることが好ましい。ハウジング１２は、複数の接点受容領域１６を有する。この実施例において、接点受容領域１６は、ハウジングの長さに沿った２つの平行な列に配置される。ハウジングの上側は、接点１４との電気接触を行うために、上側を通して接点受容領域１６に伸長する接合コネクタ（示されない）のオスピン又は接点により、そこに位置付けされる接合コネクタを有するように構成されている。
【００１０】
[0026]  図４〜図５も参照すると、この実施例における接点１４は、直角の半田テールを有するメス接点である。直角の半田テールにより、例えば、半田付けすることによって、コネクタ１０は、（示されない）別の部材上に取り付けられた表面となるように構成されている。図５は、図４において示される形状に曲げられる前の、シートメタルの打ち抜きブランク１４’を示す。接点１４は、主要部分１５、半田テール１８、取り付け部分又は保持機能２０、２つの対向する接触アーム２２、２４を備える。代替の例示的な実施形態において、多かれ少なかれ、２つの接触アームが提供されるかもしれず、アームは、対向しないかもしれない。半田テール１８、取り付けセクション２０、及び、２つの接触アーム２２、２４は、一般的なカンチレバー様式で主要部分１５に伸長する。半田テール１８は、一般に、第１の接触アーム２２と整列され、取り付けセクション２０からオフセットしている。主要部分１５の対向する端は、また、取り付け部分２６、２８を備える。取り付けセクション２０と取り付け部分２６、２８は、接点１４がハウジング１２の接点受容領域１６のうちの１つに挿入されて、ハウジング１２への当該接点を固定して取り付けることができるようにしている。
【００１１】
[0027]  ２つの接触アーム２２、２４は、接合接点受容領域から、その間で内部へ曲げられている。アーム２２、２４は、その間で接合接点を接触させるための接点領域３０を有する。半田テール１８は、湾曲部３２で、主要部分１５から約１８０度曲げられて、その後、湾曲部３４で、半田テールの直角を形成するように約９０度曲げられている。したがって、図４において示される最終形状において、半田テール１８、取り付けセクション２０、及び、２つの接触アーム２２、２４は、主要部分１５から、概して同じ方向にすべて伸長している。半田テール１８は、第１の接触アーム２２と同じ側にある。
【００１２】
[0028]  図２及び図３において見られるように、半田テール１８は、ハウジングの側面で、ハウジング１２から伸長している。接点の形状の理由から、第１の接触アーム２２は、第２の接触アーム２４よりも、ハウジング１２のそれぞれの側面近くに位置付けられる。図２及び図４中の矢印によって示されるように、これは結果として、ハウジングからの半田テールの側面延長部と垂直ではなく、整列するように、（対向する接点領域３０間で）挿入されたオス接点上に作用される力となる。
【００１３】
[0029]  図１〜図５において示される実施例での特徴は、端子底辺入口（ハウジングの底辺端を介したハウジング中への端子の入口）を含み、接触アームの東／西向きよりもむしろ、北／南接点向きを含んでいる。端子底辺入口は、接点１４が、図３中の矢印３６によって示されるハウジングの底辺を通って、ハウジング１２中に挿入されるのを可能にする。底辺入口は、「東南」接点ポイントが、表面取り付け（ＳＭＴ）半田テール１８のために提供されるのを可能にする。半田テール１８と並んだ接触アームの北／南接点向きを提供することによって、この接点の向きは、接点のプラッティングに関して、重要なコスト低減を可能にし得る。
【００１４】
[0030]  図６を参照すると、接点のための代替設計が示される。この実施例において、接点は付加的なブリッジ部分３８を備える。このブリッジ部分３８は、図５と類似した接点を提供するために、オプション的に取り除かれ得る。ブリッジ領域３８は、低背型設計を作成するためのツールにおいて削除され得る。領域４０は、図５において示される低背型の保持の機能を、又は図６において示される高背型版を作成するためのツールにおいて、修正され得る。コネクタ製品のいくつかのバージョンは、関係する製品ファミリーのための接点のいくつかの異なるタイプからのものであり得る。この汎用ブリッジ端子は、１つ若しくは複数の部分を取り除かせる、又は、取り除かせないことによって、（１つのツールと複数のバージョンのみで）以下のものを取得するための可能性をもたらす。
・高背型又は低背型バージョン
・ブリッジ一帯に半田テールのいくつかの種類を作成する可能性の提供
[0031]  この解決法は、費用を節約するのを助け（ツールの数を最小化し）、競争力を向上する。
【００１５】
[0032]  図７及び図８は、１つ以上の半田テール１８’の付加的な又は代替的な可能性ある位置を示す代替的な設計を示す。
【００１６】
[0033]  図９は、セクション２０’を有する、従来の接点の一部分を示す。図１０は、接点１４を示すが、異なる取り付けセクション２０”を有する。取り付けセクション２０”の幅は、図９において示される接点について、図１２において示される寸法Ａよりも大きい、図１３において示される寸法Ｂを有する。
【００１７】
[0034]  さらなる特徴は、曲げ加工で取得された寸法“Ａ”の代わりに、打ち抜き加工で取得された寸法“Ｂ”をもたらし、打ち抜き対曲げの許容能力の差により、空洞中への端子のより良い位置を提供する。図１２における領域４４によって示されるように、図９において示される接点のベンディングからの大きな許容差に起因するクリアランスが、接点とハウジングの間に存在する。これは、接合コネクタのオスピンについて、端子の軸と、ハウジング１２中の窓との間で、悪い整列となり得る。この問題は、主に、結果として寸法Ａになる曲げ加工からの端子の大きな許容差に起因し、これは、組み立て基準に影響を与える。しかしながら、取り付けセクション２０”は曲げられず、打ち抜きされる。ここで記述される特徴により、曲げ加工のステップの代わりに、切断加工のステップからの基準が、製造と組み立てのために使用され得る。効果的に、切断加工は、（曲げ機能に係る０．１ｍｍの代わりに）０．０２ｍｍの総許容差を提供し得る。したがって、図１３において示されるように、クリアランスの領域４４’は、領域４４よりもはるかに小さい。小さなクリアランスは、切断からの小さな許容差に起因する。図１４で見られるように、２０”におけるさらなる特徴は、曲げ加工から取得された寸法“Ａ”の代わりに、打ち抜き加工から取得された寸法“Ｂ”をもたらし、許容能力の差に起因する、空洞中への端子の非常により良い位置を提供する。
【００１８】
[0035]  図１５〜図２９は、接点のためのいくつかの代替的な設計を示す。
【００１９】
[0036]  例示的な実施形態は、ハウジングと、ハウジングに接続された複数の電気接点を備える電気コネクタにおいて提供され得、ここにおいて、接点のそれぞれは、その間で接合電気コネクタのオス接点を受容するように構成された対向するカンチレバー接触アーム、ハウジングの接点受容領域において接点を位置付ける際に支援する保持機能、及び、表面取り付け半田テールを備える。
【００２０】
[0037]  接触アーム、保持機能及び半田テールは、例えば、図４において見られる接点の本体から同じ方向に伸長し得る。保持機能は、例えば図４〜図５において見られる接点の本体から伸長している一般的なカンチレバー形状を有し得る。接点は、例えば図６中で見られる接点の本体の保持機能と、対向する端とに接続されたブリッジ部分をさらに備え得る。保持機能は、接点の最も広い部分であり得、例えば、図５、図１０及び図１４において見られる接触アームに最も近い接点の反対側を通り越して伸長し、ここにおいて、保持機能は平らであって、曲げられない。
【００２１】
[0038]  保持機能は、例えば、図５及び図１０において見られる接触アームよりも広くなり得る。保持機能は、例えば、図４及び図１４において見られる接触アームの両方に対して実質的に直角で向けられ得る。電気コネクタは、例えば図７、図８及び図１１において見られる第２の半田テールをさらに備え得、ここにおいて、第１の半田テールは、第１の位置で接点の本体に伸長し、ここにおいて、第２の半田テールは、第２の位置で接点から伸長している。第２の半田テールは、本体に伸長し得る。第２の半田テールは、接触アームのうちの１つに伸長し得る。第２の半田テールは、保持機能に伸長し得る。電気コネクタは、本体のうちの１つに伸長する第３の半田テールと、接触アーム又は保持機能の別のものをさらに備え得る。保持機能は、例えば図１４において見られる実質的にダイヤモンド形状の外形を有し得る。保持機能は、例えば、図１７において見られる実質的に砂時計形状の外形を有し得る。
【００２２】
[0039]  図１８Ａ〜図２９Ｂによって説明されるように、例示的な方法は、キャリーストリップに取り付けられた電気接点を形成するために、フラットメタル部材を打ち抜きすることと、ここにおいて、電気接点は、その間で接合電気コネクタのオス接点を受容するように構成された対向するカンチレバー接触アームと、ハウジングの接点受容領域において接点を位置付けする際に支援する保持機能と、第１の表面取り付け半田テールとを形成するように打ち抜きされ、ロール上に電気的に取り付けられた接点で、キャリーストリップを回転することと、を備え得る。
【００２３】
[0040]  打ち抜きは、接触アーム、保持機能、及び、接点の本体から同じ方向で伸長する第１の半田テールをさらに備え得る。打ち抜きは、接点の本体から伸長する一般的なカンチレバー形状を有する保持機能をさらに備え得る。打ち抜きは、保持機能と、接点の本体の対向する端に接続されたブリッジ部分を形成することをさらに備え得る。打ち抜きにより、保持機能を、接点の最も広い部分に形成することができ、ここにおいて、保持機能は、接触アームに最も近い接点の対向する側を通り越して伸長している。
【００２４】
[0041]  以前の記述は単に説明であることが理解されるべきである。さまざまな代替及び修正が、当業者によって考案され得る。例えば、さまざまな従属請求項において規定された特徴は、任意の適切な組み合わせにおいて互いに組み合わせられ得る。さらに、上述された異なる実施形態の構成要件は、選択的に新たな実施形態に組み合わせられ得る。したがって、記述は、添付される特許請求の範囲内にある、すべての代替、修正及び変形を含むように意図される。
【図１】
2018503963.tif 000003
【図２】
2018503963.tif 000004
【図３】
2018503963.tif 000005
【図４】
2018503963.tif 000006
【図５】
2018503963.tif 000007
【図６】
2018503963.tif 000008
【図７】
2018503963.tif 000009
【図８】
2018503963.tif 000010
【図９】
2018503963.tif 000011
【図１０】
2018503963.tif 000012
【図１１】
2018503963.tif 000013
【図１２】
2018503963.tif 000014
【図１３】
2018503963.tif 000015
【図１４】
2018503963.tif 000016
【図１５】
2018503963.tif 000017
【図１６】
2018503963.tif 000018
【図１７】
2018503963.tif 000019
【図１８Ａ】
2018503963.tif 000020
【図１８Ｂ】
2018503963.tif 000021
【図１９Ａ】
2018503963.tif 000022
【図１９Ｂ】
2018503963.tif 000023
【図２０Ａ】
2018503963.tif 000024
【図２０Ｂ】
2018503963.tif 000025
【図２１Ａ】
2018503963.tif 000026
【図２１Ｂ】
2018503963.tif 000027
【図２２Ａ】
2018503963.tif 000028
【図２２Ｂ】
2018503963.tif 000029
【図２３Ａ】
2018503963.tif 000030
【図２３Ｂ】
2018503963.tif 000031
【図２４Ａ】
2018503963.tif 000032
【図２４Ｂ】
2018503963.tif 000033
【図２５Ａ】
2018503963.tif 000034
【図２５Ｂ】
2018503963.tif 000035
【図２６Ａ】
2018503963.tif 000036
【図２６Ｂ】
2018503963.tif 000037
【図２７Ａ】
2018503963.tif 000038
【図２７Ｂ】
2018503963.tif 000039
【図２８Ａ】
2018503963.tif 000040
【図２８Ｂ】
2018503963.tif 000041
【図２９Ａ】
2018503963.tif 000042
【図２９Ｂ】
2018503963.tif 000043
【国際調査報告】
2018503963.tif 000044
2018503963.tif 000045
2018503963.tif 000046